(57)【要約】【課題】  カード型記録装置の着脱時の操作感を損なわずに、カード型記録装置の取り出し時においても十分な放熱を行う。【解決手段】  カード型記録装置を排出するための排出手段と、カード型記録装置のカード熱接点を突き出す２つのカード接触部と、カード接触部のカード型記録装置当接面側に第一の伝熱部材、第二の伝熱部材を備え、第一の伝熱部材と第二の伝熱部材は、カード熱接点に対する粘性が互いに異なることを特徴とする構成とした。【選択図】  図１
2018148390.tif 000002
【特許請求の範囲】
【請求項１】
カード型記録装置を排出するための排出手段と、
前記カード型記録装置のカード熱接点を突き出す２つのカード接触部と、
前記カード接触部の前記カード型記録装置当接面側に第一の伝熱部材、第二の伝熱部材を備え、
前記第一の伝熱部材と前記第二の伝熱部材は、前記カード熱接点に対する粘性が互いに異なることを特徴とする前記カード型記録装置を収納、保持可能なスロット。
【請求項２】
前記第一の伝熱部材と前記第二の伝熱部材の、前記カード熱接点との接触面積がそれぞれ異なることを特徴とする請求項１に記載のスロット。
【請求項３】
前記第一の伝熱部材と前記第二の伝熱部材は、それぞれ硬度が異なることを特徴とする請求項１又は２に記載のスロット。
【請求項４】
請求項１乃至３のいずれか１項に記載のスロットを備えた撮像装置。
【発明の詳細な説明】
【技術分野】
【０００１】
本発明は電子機器に着脱可能な機器の放熱構造に関するものであり、特にカード型記録装置からの放熱構造に関するものである。
【背景技術】
【０００２】
従来、デジタルカメラ等のカード型記録装置を着脱可能な電子機器において、カード型記録装置が発生する熱をカード型記録装置収納部等を介して、電子機器の筐体に放熱する構成に関する提案がなされてきた。例えば、特許文献１ではカード型記録装置収納部のカバーユニットがカード型記録装置と接触し、カード型記録装置で発生した熱を外部へ放出する構成が開示されている。また、特許文献２ではカード型記録装置用コネクタに金属薄板を配置し、カード型記録装置挿入時に金属薄板が接触することで、カード型記録装置の熱を放熱する構成が開示されている。
【先行技術文献】
【特許文献】
【０００３】
【特許文献１】特開２０１２−２３１３１号公報
【特許文献２】特許第４９６２８７１号公報
【発明の概要】
【発明が解決しようとする課題】
【０００４】
上述の特許文献１に開示された従来技術では、カード型記録装置を挿入しカバーユニットを閉じた状態では、カード型記録装置の熱を放熱する事が可能だが、ユーザーがカバーユニットを開放し、カード型記録装置を取り出す操作を行っている最中は、放熱経路がなくなるためカード型記録装置の熱を効果的に放熱する事が困難である。このため、ユーザーが触れるまでの間に、十分にカード型記録装置の温度が下がらない恐れがある。
【０００５】
また、特許文献２に開示された従来技術では、放熱用の金属薄板が常にカード型記録装置と接触し放熱を行う構成のためカード型記録装置排出中も放熱を行う事は可能だが、常にカード型記録装置と金属薄板の間で摩擦力が発生するため、カード型記録装置の着脱時の操作感を低下させてしまう恐れがある。
【０００６】
そこで、本発明の目的は、カード型記録装置の着脱時の操作感を損なわずに、カード型記録装置の取り出し時においても十分な放熱を行う事が出来る手段を提供する事である。
【課題を解決するための手段】
【０００７】
上記目的を達成するために、本発明は、
カード型記録装置（５）を排出するための排出手段（４７）と、
前記カード型記録装置（５）のカード熱接点（５９）を突き出す２つのカード接触部（４７１ｃ）と、
前記カード接触部（４７１ｃ）の前記カード型記録装置（５）当接面側に第一の伝熱部材（４７４）、第二の伝熱部材（４７５）を備え、
前記第一の伝熱部材（４７４）と前記第二の伝熱部材（４７５）は、前記カード熱接点（５９）に対する粘性が互いに異なる
ことを特徴とする。
【発明の効果】
【０００８】
本発明によれば、カード型記録装置の着脱時の操作感を損なわずに、ユーザーがカード型記録装置に触る直前まで、カード型記録装置の温度を下げる事が可能となる。
【図面の簡単な説明】
【０００９】
【図１】カード押圧部の構成を示す図
【図２】撮像装置のシステムを示す図
【図３】撮像装置およびカード型記録装置の電気的構成を示したブロック図
【図４】撮像装置およびスロットへのカード型記録装置の挿抜を説明する図
【図５】スロットの分解斜視図
【図６】スロットの構造を説明する断面図
【図７】イジェクト動作を説明する図
【発明を実施するための形態】
【００１０】
以下に、本発明の好ましい実施の形態を、添付の図面に基づいて詳細に説明する。
（実施例１）
図２は本発明のカード型記録装置を利用する撮像装置のシステムを説明する図である。図２において１は撮像装置を、２は複数のレンズユニットを、３は撮像装置とレンズユニットのインターフェイスを、４は撮像装置１上に設けられた操作手段を、５はカード型記録装置を、６はカードリーダーを、８はＰＣを、７はカードリーダーとＰＣを接続するケーブルをそれぞれ示している。
【００１１】
撮像装置１にはインターフェイス３を介して複数のレンズユニット２が取り付け可能となっている。これにより撮影意図に適した画角や焦点深度での撮影が可能となっている。撮像装置１上には操作手段４が設けられており、後述するようにこれらを操作することで動画撮影／記録が行われる。カード型記録装置５は動画記録時においては撮像装置１内に挿入され、いわゆる動画ファイルが記録される。記録後は、撮像装置１から取り出され（抜去）、カードリーダーに挿入され、ケーブル７を介して動画ファイルがＰＣに送られる。ここでは模式的にＰＣとしたが、別の情報端末や、ネットワーク上のサーバなどでも良い。
【００１２】
ここで、カード型記録装置５は撮像装置１やカードリーダー６に挿入／抜去されるという特徴がある。また、カード型記録装置５は可搬性や検索性（ラベルなどの貼り易さ）などから扁平で薄い形状でありいわゆるカード形状を為すという特徴を有する。
【００１３】
図３は撮像装置１およびカード型記録装置５の電気的構成を示すブロック図である。図３において図２と同じ機能／意味のものには同じ番号を付した。図３（ａ）は撮像装置１の電気的構成を示すブロック図である。図３（ａ）において、１０はカメラシステム制御回路を、１１はメモリ手段を、１２は撮像素子を、１３は画像処理部を、１４は表示手段を、１５は撮像装置１内の伝熱手段を、１６は撮像装置１から外部に熱が逃げる様子を模式的に示す矢印を、２０はレンズシステム制御回路を、２１はレンズ駆動手段を、２２は撮影光学系を、２３は撮影光学系の光軸を、それぞれ示している。
【００１４】
操作手段４は図２に示したレリーズボタン等を含み、ユーザーの操作に応じて撮像操作の動作が制御される。撮像素子１２は撮影光学系２２から得られた像を取得する。カメラシステム制御回路１０、レンズシステム制御回路２０及びレンズ駆動手段２１は撮影光学系２２の状態を変化させる。一例として、撮影光学系２２の予定結像面が撮像素子１２の位置にくるように調整を行う。（いわゆるピント合わせ）別の調整の例として、撮像素子１２から得られた信号の大きさに基づいて、絞り制御や蓄積状態を制御し明るさの調整を行う（いわゆる露出制御）。
【００１５】
前述のようにピントや露出が適切な状態に調整されたのち、撮像素子１２で得られた信号は、表示手段１４に提示される。画像処理部１３は、内部にＡ／Ｄ変換器、ホワイトバランス調整回路、ガンマ補正回路、補間演算回路等を有しており、記録用の画像を生成することができる。また、画像処理部１３ は、予め定められた方法を用いて画像、動画、音声などの圧縮を行う。
【００１６】
メモリ手段１１は実際の記憶部を備えている。また、内部にカード型記録装置５を挿入することが可能である。カメラシステム制御回路１０の指示により、画像処理部１３で生成された動画ファイルの記録をカード型記録装置５に対して行う。カメラシステム制御回路１０は撮像の際のタイミング信号などを生成して出力する。外部操作に応動して撮像装置１内の各部をそれぞれ制御する。例えば、操作手段４によるシャッタレリーズ釦の操作を検出して、撮像素子１２の駆動、画像処理部１３の動作、圧縮処理などを制御する。さらに表示手段１４に情報表示を行う情報表示装置の各セグメントの状態を制御する。
【００１７】
制御系の光学系の調整動作について説明する。カメラシステム制御回路１０には画像処理部１３が接続されており、撮像素子１２からの信号を元に適切な焦点位置、絞り位置を求める。カメラシステム制御回路１０は、インターフェイス３を介してレンズシステム制御回路２０に指令を出す。レンズシステム制御回路２０はレンズ駆動手段２１を適切に制御する。これにより前述したピント合わせや露出制御がなされる。
【００１８】
伝熱手段１５は撮像装置１内に設けられており、ヒートパイプ、グラファイトシート、金属部材などで構成される。撮像装置１内での熱源である画像処理部１３およびメモリ手段１１と撮像装置１上の放熱部分（外装など）を熱的に接続する。結果として矢印１６で示すように撮像装置１から周囲の空気に自然対流、放射などによって熱が放出される。
【００１９】
図３（ｂ）はカード型記録装置５の電気的構成を示すブロック図である。図３（ｂ）において、２４はホスト電源を、２５はホストコントローラを、２６はカード型記録装置５のインターフェイス（カードインターフェイス）を、２７は電源ＩＣを、２８はカードコントローラを、２９はフラッシュメモリをそれぞれ示している。図３（ｂ）でいうホストとは撮像装置１のことを指す。図３（ｂ）ではフラッシュメモリ２９が一つであるように図示したが、これは概念的な図であって、カードコントローラ２８に対して複数のフラッシュメモリ２９が対応するような構造でも良い。
【００２０】
カード型記録装置５と撮像装置１はカードインターフェイス２６を介して電気的に接続される。インターフェイスの物理構造／信号等の仕様はカード型記録装置５の規格として定められており、規格に沿うことで互換性が確保される。カードインターフェイス２６には電源供給のための接点と、信号伝達のための接点があり、それぞれ電源供給のための接点はホスト電源２４と電源ＩＣ２７を接続し、信号伝達のための接点はホストコントローラ２５とカードコントローラ２８を接続する。ここでいうホスト電源２４とは、撮像装置１に備えられるバッテリーおよび電源ＩＣなどからなる安定的な電源を指す。
【００２１】
電源ＩＣ２７ではカードコントローラ２８およびフラッシュメモリ２９に必要な電圧レベルを作成しそれぞれに対して供給する。カードコントローラ２８はエラー訂正、ブロック管理、ウェアレベリング等の機能を備え、ホストコントローラ２５およびフラッシュメモリ２９へのインターフェイスを備える。これによりホストコントローラ２５から送られてきたデータをフラッシュメモリ２９に記録したり、フラッシュメモリ２９に記録されたデータをホストコントローラ２５に送出したりできる。撮像装置１に挿入された場合には、メモリ手段１１を介して、動画ファイルを記録したり、ファイルを読み出して再生し、表示手段１４に提示したりできる。
【００２２】
図４（ａ）は撮像装置１とカード型記録装置５の関係を説明する図である。図４（ａ）において、図２および図３と同じ機能のものには同じ番号を付した。図４（ａ）において、４ａは操作手段４のうちスロットカバーを開けるための操作部を、３０は撮像装置１に設けられたスロット蓋を、３０ａはスロット蓋３０に設けられたフックを、３１はスロットを、４６は後述するスロットカバーが有するイジェクトボタンをそれぞれ示している。
【００２３】
ユーザーが撮像装置１にカード型記録装置５を挿入する場合は、操作手段４ａを操作する。これによりスロット蓋３０に設けられたフック３０ａの係合が外れてスロット蓋３０が開く。その後図４（ａ）に示すようにカード型記録装置５をスロット３１に挿入する。スロット３１には後述するイジェクト機構が設けられており、カード型記録装置５を挿入することでイジェクトボタン４６が突出する構造となっている。また、図４（ａ）に示した機器では、同種または異種のカード型記録装置５が２枚平行に挿入できるように形成されている。すなわちスロットは２つ並んで設けられている。
【００２４】
挿入したのちスロット蓋３０を閉じることで撮像装置１とカード型記録装置５が通信可能な状態となる。撮像装置１にはスロット蓋３０の開閉を検知するための不図示のスイッチがあり、スロット蓋３０が閉じられたことを検知すると、カード型記録装置５の有無をチェックして、カード型記録装置５が存在する場合は通信可能な状態とする。一方でスロット蓋３０が開けられたことを検知すると、記録などを速やかに終了させる処理を行う。
【００２５】
ユーザーが撮像装置１からカード型記録装置５を抜去する場合は、操作手段４ａを操作する。これによりスロット蓋３０に設けられたフック３０ａの係合が外れてスロット蓋３０が開く。その後図４（ａ）に示したイジェクトボタン４６を押し込むことで、つかみやすい位置までカード型記録装置５を突出させる。ユーザーはカード型記録装置５を持って手前に引くことで、撮像装置１からカード型記録装置５を抜去することが出来る。このイジェクトに関する動作については後述する。
【００２６】
図４（ｂ）はカード型記録装置５とスロット３１との関係、スロット３１の構造を説明する図である。図４（ｂ）において図４（ａ）と同じ機能のものには同じ番号を付した。図４（ｂ）において、４１はスロット基板であり伝熱手段１５にビスで固定されている。伝熱手段１５は金属製の筐体であり、カード型記録装置５で発生した熱を撮像装置１内に拡散する。４２はスロットベース、４２ａはスロットベース上に設けられたスロットコネクタ部、４２ｂはスロットベース上に設けられ図４（ｂ）では見えない位置にあるが４２ｃと対応する位置に存在するスロット左側面ガイド部、４２ｃはスロットベース上に設けられたスロット右側面ガイド部である。
【００２７】
４３はスロットベース４２に圧入保持された複数のスロット電気接点を、４４はスロットベース４２に固定された複数のスロット熱接点を示している。４５はスロットベース４２に係合するスロットカバーを、４６はイジェクト機構を操作するためのイジェクトボタンを、４７はスロットカバー上に設けられたイジェクト機構を示している。イジェクト機構４７は後述するように複数の部品で構成される。
【００２８】
５０はカード型記録装置５をスロット３０に挿入するときの方向を示す矢印を、５１はカード型記録装置の天面を、５２はカード型記録装置に設けられた電気接点のカードコネクタ部を、５５ａはカード左側面に設けられたカード左側面ガイド部を、５６ａはカード右側面に設けられたカード右側面ガイド部をそれぞれ示している。また５９はカード熱接点であり、カード型記録装置５の内部素子（電源IC２７、コントローラ２８、フラッシュメモリ２９）と熱的に接続されている。スロット３１はスロットベース４２、スロットベース４２に圧入されたスロット電気接点４３、スロット熱接点４４およびスロットベース４２に係合するスロットカバー４５からなっている。
【００２９】
スロットベース４２はリフローに耐えられる耐熱性、小型薄型に作成するための薄肉性および複雑形状を作成可能な湯流れ性および摺動性等の観点からＬＣＰ（液晶ポリマー）の成形品で形成されている。スロット電気接点４３は接点を適当に接触させるためのバネ性、半田のぬれ性、接点電気抵抗等の観点からリン青銅に適当なメッキ処理（金メッキなど）したもので形成されている。スロット熱接点４４は熱伝導性、摺動性、耐摩耗性等の観点から純銅若しくは銅合金を適当なメッキ処理（硬質クロムメッキなど）したもので形成されている。
【００３０】
スロットカバー４５は薄肉での強度、加工性、耐食性などの観点からステンレスのバネ鋼で形成されている。メッキの被覆部は、熱伝導率は純銅若しくは銅合金よりも劣るが、厚みが十分薄い（通常数マイクロメートル）ためその熱抵抗は問題にならない。一方で、硬質クロムメッキなどを用いることで表面の硬度は大幅に向上させることが出来る。すなわち、挿抜において傷がつきにくい信頼性の高い熱接点を形成することが出来る。
【００３１】
カード型記録装置５はスロットカバー４５で粗く位置決めされ（多くのガタをもって案内）ながら矢印５０方向に挿入される。その後、カード型記録装置５に設けられたカード左側面ガイド部５５ａとスロットベース４２上に設けられたスロット左側面ガイド部４２ｂ、およびカード型記録装置５に設けられたカード右側面ガイド部５６ａとスロットベース４２上に設けられたスロット右側面ガイド部４２ｃによってより精密に位置決めされたのち通信可能な位置まで挿入される。最終的に、後述するカード押圧部４７１とカード型記録装置５上のカード熱接点５９が、２つの伝熱部材（４７４、４７５）を介して接触する位置まで挿入される。この位置では、スロットコネクタ部４２ａに対して、カード型記録装置５のカードコネクタ部５２が所定のストローク差し込まれた状態となっており、安定した通信が可能となる。
【００３２】
次に図５を用いて、イジェクト機構４７の詳細構成を説明する。イジェクト機構４７はカード押圧部４７１、回動部４７２、スライド部４７３で構成される。
カード押圧部４７１にはカード接触部４７１ｃが２箇所に設けられており、カード型記録装置５に設けられたカード熱接点５９の位置でカード型記録装置５と接触する。前述したようにカード型記録装置５の内部素子とカード熱接点５９は熱的に接続されているので、カード内部で発生した熱はカード熱接点５９、カード接触部４７１ｃを介して、カード押圧部４７１に伝達される。
【００３３】
回動部４７２は、開口部４７２ａによって、スロットカバー４５上に設けられた回転軸４５ａと回動可能に係合している。また、係合部４７２ｂが、カード押圧部４７１上の係合軸４７１ｂと係合する。これによって回動部４７２は回転軸４５ａ中心に回動し、その回動動作が係合軸４７１ｂを介して伝わるため、カード押圧部４７１はカード挿抜方向に進退する事が可能である。また、前述したように、カード押圧部４７１にはカード型記録装置５の熱が伝わるため、係合軸４７１ｂを介して、この熱が回動部４７２まで伝達される。
【００３４】
スライド部４７３はスロットカバー４５に対してカード挿抜方向にスライド可能に保持され、ユーザーが操作するイジェクトボタン４６が一端に配置され、他端に回動部４７２と係合するスライド係合部４７３ｄが設けられている。スライド係合部４７３ｄは回動部４７２に設けられたスライド係合爪４７２ｄと係合し、スライド部材４７３のスライド動作を回動部４７２に伝達する。この様な構成にすることによって、ユーザーがイジェクトボタン４６を押圧すると、スライド部４７３がスライドし、その動作によって回動部４７２が回動し、カード押圧部４７１をカード排出方向に移動させ、カードを排出する事が可能となる。
【００３５】
次に図１、図６、図７を用いて、カード型記録装置５挿入時および排出時の放熱構成について説明する。
【００３６】
図１は、カード押圧部４７１と伝熱部材の関係を説明する図である。図６（ａ）はカード型記録装置５が挿入されたスロット３１を撮像装置横方向から見た図であり、図に示すＡ−Ａ切断線での断面図が図６（ｂ）である。図７は、わかりやすさの為にスロットカバー４５を外した状態のスロット３１を示しており、図７（ａ）は、カード型記録装置５がスロット３１に挿入された状態を、図７（ｂ）はカード型記録装置５がスロット３１から排出された状態を示している。ここで言う「スロット３１から排出された状態」とは、ユーザーがイジェクトボタン４６を押圧し、カード型記録装置５がカード排出方向に移動され、カード型記録装置５とスロット３１の電気的接続が解消された状態を示す。
【００３７】
図１に示すように、カード押圧部４７１に設けられたカード接触部４７１ｃに、大きさの異なる２つの伝熱部材４７４、４７５が固定される。４７４は第一の伝熱部材、４７５は第二の伝熱部材であり、シリコーンなどの弾性材料から形成されている。第一の伝熱部材４７４、および第二の伝熱部材４７５とで大きさを異ならせている理由については、後述する。５０は前述したように、カード型記録装置５をスロット３０に挿入するときの方向である。
【００３８】
４７４ａ、４７５ａはカード熱接点５９との当接面を、４７４ｂおよび４７５ｂは凸形状を、４７１ｄはカード接触部４７１ｃに設けられた穴を、それぞれ示している。第一の伝熱部材４７４、第二の伝熱部材４７５は、それぞれ凸部４７４ｂ、４７５ｂが、カード接触部４７１ｃに形成された嵌合穴４７１ｄに挿入されることで位置決めされ、粘着剤や両面テープなどで固定される。なお、凸部４７４ｂ、４７５ｂは、カード接触部４７１ｃに取り付けられた状態において、カード接触部４７１ｃよりも凸となる凸量を有する。
【００３９】
カード型記録装置５の内部で発生した熱は、カード熱接点５９まで伝達する。図６（ｂ）に示すようにカード型記録装置５挿入状態において、カード熱接点５９は、第一の伝熱部材４７４に当接する。カード熱接点５９とカード接触部４７１ｃが、製造バラつきなどよって面接触せず、線接触や点接触となるような場合も、伝熱部材自体が自在に（圧縮）変形するため、カード熱接点５９とカード接触部４７１ｃは、第一の伝熱部材４７４を介して確実に面接触する。
【００４０】
同様に、カード接触部４７１ｃとスロット熱接点４４に関しても、面接触の関係となるとは限らない為、第一の伝熱部材４７４は、凸部４７４ｂがカード接触部４７１の嵌合穴４７１ｄを貫通し、放熱部材４４に当接している。スロット熱接点４４は、ビス４４１によって、スロット基板４１、スロットベース４２と共に、伝熱手段１５に締結される。
【００４１】
このような構成とする事で、カード型記録装置５の内部で発生した熱は、まずカード熱接点５９から２つの伝熱部材（４７４、４７５）を介してカード接触部４７１ｃを貫通し、スロット熱接点４４、ビス４４１の順番で接触箇所を介して伝熱し、最終的に伝熱手段１５に到達する。前述したように、伝熱手段１５は撮像装置１内部に熱を拡散するので、カード型記録装置５が挿入されている状態（図６、７（ａ））では、発生した熱はカメラ内部に効果的に拡散され、カード型記録装置５の温度上昇を抑制する事が可能となる。
【００４２】
一方、カード型記録装置５が排出されている状態（図７（ｂ））では、カード型記録装置５の内部に残った熱は、同様にカード熱接点５９から２つの伝熱部材（４７４、４７５）を介してカード押圧部４７１、最終的にはイジェクト機構４７全体に到達する。したがって、ユーザーがイジェクトボタン４６を押してから、カード型記録装置５を取り出すまでの間も放熱することが出来る。
【００４３】
ところで、弾性を有する伝熱部材は、粘性を有することが一般的に知られている。特に高温時などは顕著となる。本発明に係る実施の形態においては、カード型記録装置５の装着時、カード型記録装置５に設けられた２箇所のカード熱接点５９と第一の伝熱部材４７４、および第二の伝熱部材４７５が接触している。よって、図７（ｂ）に示す、カード型記録装置５の排出状態で、カード型記録装置５に２つの伝熱部材が上述した粘性によって貼り付き、カード型記録装置５が取り出しにくくなってしまう可能性がある。
【００４４】
そこで、本発明では、図１（ａ）、（ｂ）、（ｃ）に示すように、第二の伝熱部材４７５と第一の伝熱部材４７４の、カード熱接点５９との接触面積を異ならせている。具体的には、第二の伝熱部材４７５の接触面４７５ａの面積は、第一の伝熱部材４７４の接触面４７４ａよりも大きい。即ち、カード熱接点５９と第二の伝熱部材４７５の粘着力は、カード熱接点５９と第一の伝熱部材４７４の粘着力よりも大きい。
【００４５】
以上より、図７（ｂ）の状態から、撮影者がカード型記録装置５を手で取り出そうと引き抜いた際は、紙面下側の第一の伝熱部材４７４が、第二の伝熱部材４７５よりも早く、カード型記録装置５から離れ、次いで、第二の伝熱部材４７５が離れる。従って、カード型記録装置５の、伝熱部材への貼り付きがこの原理によって緩和され、容易にカード型記録装置を取り出すことが出来る。なお、一方の伝熱部材と他方の伝熱部材の、カード型記録装置５から離れるタイミングをずらす為に、第一の伝熱部材４７４と第二の伝熱部材４７５の接触面積は同じで、異なる硬度によって粘性を異ならせても良い。
【００４６】
さらに、従来では、ユーザーが勢いよくイジェクトボタン４６を押した際に、カード型記録装置５がスロット３１から飛び出すことがあったが、本発明に係る実施の形態では、カード型記録装置５と伝熱部材の間に粘着力が発生している為、飛出し動作は発生しにくい。以上説明したように、本発明の実施の形態によれば、カード型記録装置５の着脱時の操作感を損なわず、取り出し時においても十分な放熱を行うことが可能となる。
以上、本発明の好ましい実施形態について説明したが、本発明はこれらの実施形態に限定されず、その要旨の範囲内で種々の変形及び変更が可能である。
【符号の説明】
【００４７】
１            撮像装置
５            カード型記録装置
３１          スロット
４７          イジェクト機構
５９          カード熱接点
４７１ｃ      カード接触部
４７４        第一の伝熱部材
４７５        第二の伝熱部材
【図１】
2018148390.tif 000003
【図２】
2018148390.tif 000004
【図３】
2018148390.tif 000005
【図４】
2018148390.tif 000006
【図５】
2018148390.tif 000007
【図６】
2018148390.tif 000008
【図７】
2018148390.tif 000009